(57)【要約】【課題】インターネットで公開されるウェブページのバリアフリー品質を常に保証できる装置、方法、およびプログラムを提供する。【解決手段】ウェブページ１５のＨＴＭＬ構文上のバリアフリー程度を評価する評価値を算出する評価値演算手段（プログラム３１）と、この評価値が合格基準を満たすとき、上記ウェブページ内に、評価値に対応する特定コードを含む認証印を付加する認証印付加手段（プログラム３２）と、認証印付加後にウェブページのバリアフリー程度を評価する評価値を算出し、この評価値に対応する特定コードと上記認証印に含まれる特定コードとを比較して一致・不一致を判定する比較手段（プログラム３３）とを備える。【選択図】      図２
2004220254.tif 000002
【特許請求の範囲】
【請求項１】
ウェブページのＨＴＭＬ構文上のバリアフリー評価値が合格基準を満たすとき、前記ウェブページ内に特定コードを含む認証印を付加する認証印付加手段と、
認証印付加後に前記ウェブページの特定コードを算出し、認証印付加時の前記特定コードと比較して一致・不一致を判定する比較手段と、
を備えるウェブページのバリアフリー品質保証装置。
【請求項２】
ウェブページのＨＴＭＬ構文上のバリアフリー評価値が合格基準を満たすとき、前記ウェブページ内に特定コードを含む認証印を付加する認証印付加ステップと、
認証印付加後に前記ウェブページの特定コードを算出し、認証印付加時の前記特定コードと比較して一致・不一致を判定する比較ステップと、
を備えるウェブページのバリアフリー品質保証方法。
【請求項３】
コンピュータに、
ウェブページのＨＴＭＬ構文上のバリアフリー評価値が合格基準を満たすとき、前記ウェブページ内に特定コードを含む認証印を付加する第１手順と、
認証印付加後に前記ウェブページの特定コードを算出し、認証印付加後時の前記特定コードと比較して一致・不一致を判定する第２手順と、
を実行させるためのウェブページのバリアフリー品質保証プログラム。
【発明の詳細な説明】
【０００１】
【発明の属する技術分野】
本発明はウェブページのバリアフリー品質保証の装置、方法、およびプログラムに関し、特に、ウェブページで提示されるコンテンツのバリアフリー品質を保証するウェブページに係るソフトウェア技術に関する。
【０００２】
【従来の技術】
近年、インターネット等の電気通信技術、サーバ、ＰＣ（パーソナル・コンピュータ）等の端末装置の発展が顕著である。インターネットには大量な数のウェブサイトが接続され、インターネット上はこれらのウェブサイトによってウェブページ（またはホームページ）という形で膨大な量の情報が提供されている。利用者は、インターネット接続機能を有するＰＣ等でインターネットに接続し、各種ウェブサイトにアクセスすると、種々のウェブページをダウンロードして端末装置の表示装置に表示させることができる。利用者は、モニタ画面を通してウェブページの内容（コンテンツ）を知ることになる。
【０００３】
ウェブページの内容には、文章（テキストによる文）、画像（静止画または動画）、音声等が含まれる。上記のコンテンツの中で、画像や音声については、正しい代替手段を実装しないことには、利用者が視覚障害者や聴覚障害者である場合には内容を知ることができない。
【０００４】
近年、大量の情報がインターネットを介して提供されるような時代が到来している。これらの情報は端末装置のモニタを通して主に視覚により知得されるので、特に目の不自由な人にとってはバリアが存在する。昨今では、行政庁による行政サービスとしての各種の情報の提供もインターネットを介したウェブページを通して行われるので、かかるバリアの問題を無視できなくなってきている。
【０００５】
他方、近年のコンピュータ技術では、ウェブページの文書、および正しい代替手段を実装した画像に対しては内容を音声合成技術に基づき合成音声に変換して出力するソフトウェア（プログラム）が存在する。このソフトウェアは音声ブラウザ、およびスクリーンリーダと呼ばれている。これらのソフトウェアを使用することにより、視覚障害者も最新の情報をウェブサイトから入手できるようになっているが、画像等に対して正しい代替手段を実装していないページの場合は、その情報を正確に入手することは不可能である。
【０００６】
そこで、現在の技術段階では、ウェブサイトによって提供されるウェブページのバリアフリー状態を診断し評価するプログラムが既に提供されている。このウェブページのバリアフリー診断評価プログラムによれば、ウェブページに含まれるＨＴＭＬ文書に関して、その構文上、最低限配慮すべき項目を診断し、問題があった項目をエラー項目として報告するように構成されている。
【０００７】
上記のウェブページのバリアフリー診断では、Ｗ３Ｃ（Ｗｏｒｌｄ  Ｗｉｄｅ  Ｗｅｂ  Ｃｏｎｓｏｒｔｉｕｍ）の下部組織であるＷＡＩ（Ｗｅｂ  Ａｃｃｅｓｓｉｂｉｌｉｔｙ  Ｉｎｉｔｉａｔｉｖｅ）のＷＣＡＧ（Ｗｅｂ  Ｃｏｎｔｅｎｔ  Ａｃｃｅｓｓｉｂｉｌｔｙ  Ｇｕｉｄｅｌｉｎｅ）１．０や米国のリハビリテーション法第５０８条、あるいは日本でのＩＴ戦略会議・ＩＴ戦略本部合同会議（第５回）において打ち出された「インターネットにおけるアクセシブルなウェブコンテンツの作成方法に関する指針」のうち、特に重要であると思われる項目がチェックされる。その項目の例としては、例えば、▲１▼画像に代替テキストが用意されているか否か、▲２▼イメージマップのリンク先に代替テキストが用意されているか否か、▲３▼ページタイトルが用意されているか否か、▲４▼ｂｌｉｎｋタグやｍａｒｑｕｅｅタグのように時間の経過に伴ってテキストが変化するタグが使用されているか否か、▲５▼ｓｃｒｉｐｔやマルチメディア・コンテンツなどに対する代替手段が提供されているか否か、等である。
【０００８】
本発明に関連する技術として特許文献１を挙げる。この特許文献１は情報の埋め込み方法およびその装置を提案している。特許文献１に係る発明の課題は次の通りである。インターネットを介してウェブサイトではホームページが用意され、インターネット接続機能を有した端末装置を使用できる者であれば、当該ホームページを閲覧することができる。ホームページについては、近年、第三者による悪意に基づく改竄が問題になっている。この問題を防止する手段として電子透かし技術やディジタル署名技術があり、これらを利用すればコンテンツ流通過程においてコンテンツの不正改竄等の検出に利用できる。その技術によれば、正当な特定の登録者による認証情報の透かし込みが行われたコンテンツのみが流通過程において真正性を保証される仕組みになっている。しかしながら、この技術では、新しいコンテンツを作成するたびに特定登録者による認証情報の透かし込みを依頼しなければならず、運用上煩雑である。特許文献１による発明では、ウェブシステムの手軽さを損なわず、コンテンツ等の真正性を保証するための仕組みを提案している。
【０００９】
【特許文献１】
特開２０００−１８７４４２号公報
【００１０】
【発明が解決しようとする課題】
上記のごとく、従来、インターネット上で公開されるウェブページの文コンテンツについては原則的にバリアフリーであるように作られていることが要求される。このため、コンテンツ制作会社では、コンテンツ制作の依頼を受けると、バリアフリーに関するチェック項目に注意しながらバリアフリー品質を保証した上でコンテンツを製作し顧客に納品する。すなわち、インターネット上でウェブサイトによって提供されているウェブページ（コンテンツ）は、文章に関して前述したバリアフリーについての品質を予め保証して作成されている。
【００１１】
一方、インターネットで提供されるコンテンツは、その性格によれば、頻繁に修正される。当該修正は、最初に請け負ったコンテンツ制作会社が行う場合にもあるし、顧客の担当者が自ら行う場合もある。納品後にインターネットコンテンツが修正される場合、コンテンツ制作業務を受けた会社はバリアフリーの品質について瑕疵責任を負うことになる。実際のところ、顧客がコンテンツを改定した結果生じる問題をコンテンツ制作会社が負うという危険性が生じる。
【００１２】
コンテンツ制作会社が上記の危険性を確実に避けかつ瑕疵責任を回避するためには、起きた問題に対する責任の所在が明らかになるように、顧客に納品したコンテンツのデータをすべて保管しておくのが常道である。しかしながら、顧客に納品したコンテンツと同じデータを常に保管しておくのは大量のデータ量となるので、実際には困難であり、従来ではほとんど行われていない。
【００１３】
上記のごとく、インターネットで提供されるウェブページのバリアフリー品質を常に保証できることは時代の要請である。インターネットコンテンツを提供する顧客、あるいは当該コンテンツを制作し納品するコンテンツ制作会社にとって、コンテンツのバリアフリー品質を常に保証できるシステムの構築が望まれている。
【００１４】
本発明の目的は、上記課題に鑑み、インターネットで提供されるウェブページのバリアフリー品質を常に保証できる装置、方法、およびプログラムを提供することにある。
【００１５】
【課題を解決するための手段】
本発明に係るウェブページのバリアフリー品質保証の装置、方法、およびプログラムは、上記目的を達成するために、次のように構成される。
【００１６】
本発明に係るウェブページのバリアフリー品質保証装置（請求項１に対応）は、ウェブページのＨＴＭＬ構文上のバリアフリー評価値が合格基準を満たすとき、上記ウェブページ内に特定コードを含む認証印を付加する認証印付加手段（バリアフリー認証印押印プログラム３２）と、認証印付加後にウェブページの特定コードを算出し、認証印付加時の特定コードと比較して一致・不一致を判定する比較手段（バリアフリー認証印整合性確認プログラム３３）と、を備えるように構成される。
【００１７】
本発明に係るウェブページのバリアフリー品質保証方法（請求項２に対応）は、ウェブページのＨＴＭＬ構文上のバリアフリー評価値が合格基準を満たすとき、上記ウェブページ内に特定コードを含む認証印を付加する認証印付加ステップと、認証印付加後にウェブページの特定コードを算出し、認証印付加時の特定コードと比較して一致・不一致を判定する比較ステップと、から構成される方法である。
【００１８】
本発明に係るウェブページのバリアフリー品質保証プログラム（請求項３に対応）は、コンピュータに、ウェブページのＨＴＭＬ構文上のバリアフリー評価値が合格基準を満たすとき、上記ウェブページ内に特定コードを含む認証印を付加する第１手順と、認証印付加後に上記ウェブページの特定コードを算出し、認証印付加時の特定コードと比較して一致・不一致を判定する第２手順と、を実行させるためのプログラムである。
【００１９】
【作用】
本発明の構成によれば、インターネット上で提供されるウェブページをウェブサーバに用意する段階において当該ウェブページのバリアフリーの程度を診断して合格基準に達していることを条件に認証印をウェブページに挿入することによりウェブページのバリアフリー品質を保証する。この認証印には、診断した時のウェブページのＨＴＭＬ構文に含まれる情報を元に算出した特定コードを含ませる。ウェブページをインターネットに公開した後、定期的または不定期に当該ウェブページに含まれる情報を元に特定コードを再度算出し、上記認証印に含まれる特定コードと比較し、２つの特定コードが一致していればバリアフリー品質が保持されていると判断され、不一致のときには途中のコンテンツ修正の結果、バリアフリーが保証できないと判断される。運用方法によっては、この結果に基づきウェブページの制作者または修正者に差し戻すことも可能である。
【００２０】
【発明の実施の形態】
以下に、本発明の好適な実施形態を添付図面に基づいて説明する。
【００２１】
図１はインターネットにおける情報発信のシステム状況の全体的構成を示す。本発明に係るウェブページのバリアフリー品質保証装置は上記のシステム状況を前提として構成される。図１によれば、インターネット１１に対して例えばウェブサーバ１２が接続されている。ウェブサーバ１２によってウェブサイト１３が形成される。ウェブサーバ１２の記憶部１４にはウェブページ（コンテンツ）１５が用意されて、インターネット１１で公開された状態にある。ウェブページ１５には文書データ（ＨＴＭＬ文書）、画像データ等が含まれている。ウェブサーバ１２は、情報配信要求のアクセスを受けてウェブページ１５を要求者の端末装置に配信するサーバプログラムを有している。
【００２２】
他方、インターネット１１には、一例として、インターネット接続機能を有する端末装置１６が接続されている。この端末装置１６は例えばパーソナル・コンピュータである。端末装置１６にはブラウザソフトウェア１７が用意されており、このブラウザソフトウェア１７によってウェブサーバ１２にアクセスし、ウェブページ１５等の情報を取り出すことができる。
【００２３】
図１に示されるごとくウェブサーバ１２に用意されかつインターネット１１上で公開されているウェブページ１５は、視覚が不自由な者にも音声出力で情報が得られるように、後述するごとく、バリアフリーの程度について診断がなされ、その結果、バリアフリー条件につき合格基準を満たしたものとして制作されており、バリアフリー品質の保証がなされているものとする。
【００２４】
上記のウェブページ１５に対しては、制作された最初の段階でウェブページのバリアフリー品質を診断する処理（これにより最終的に合格基準を満たさせる）、および当該ウェブページのバリアフリー品質を保証するための認証印を付加する処理が施され、さらに公開時にバリアフリー品質が合格基準にあるウェブページのその後の修正に対してバリアフリー品質が保証されているか否かを判断する処理が施される。
【００２５】
図２に本発明に係るウェブページのバリアフリー品質保証装置の構成を示す。このバリアフリー品質保証装置２１はコンピュータで構成されている。バリアフリー品質保証装置２１は、ＣＰＵ２２とプログラム記憶部２３と入力装置２４と表示装置２５と記憶装置２６と通信インタフェース２７を備える。記憶装置２６にはウェブページ管理データベース２８と認証印情報管理データベース２９とが設けられる。通信インターフェース２７を経由して外部のコンピュータと接続関係を形成し、ネットワーク等を介してデータの送受を行うことができる。
【００２６】
プログラム記憶部２３には、少なくとも、制作の最初の段階でウェブページのバリアフリー品質を診断するバリアフリー診断プログラム３１、当該ウェブページのバリアフリー品質を保証するための認証印を付加するバリアフリー認証印押印プログラム３２、さらに公開時にバリアフリー品質が合格基準にあるウェブページのその後の修正に対してバリアフリー品質が保証されているか否かを判断するためのバリアフリー認証印整合性確認プログラム３３が格納されている。
【００２７】
上記バリアフリー診断プログラム３１は、ウェブページのＨＴＭＬ構文の項目上で最低限必要な項目を診断し、問題があった場合にはエラー項目として報告すると共に、バリアフリー品質の程度を表す評価値を計算する。以下では、上記のウェブページ１５の例で説明する。
【００２８】
図３に示すごとく、ウェブページ１５を通信インターフェース２７等を介して読み込んで（ステップＳ１１）、記憶装置２６のウェブページ管理データベース２８に記憶させ（ステップＳ１２）、当該ウェブページ１５に対してバリアフリー診断プログラム３１の診断処理機能を実行することにより（ステップＳ１３）、ウェブページ１５のバリアフリー診断を行う。診断の結果のエラー項目の報告は表示装置２５の画面に表示されることにより行われ（ステップＳ１４）、評価値も同画面に表示されることになる（ステップ１５）。
【００２９】
上記診断項目の例としては、前述したように、▲１▼画像に代替テキストが用意されているか、▲２▼イメージマップのリンク先に代替テキストが用意されているか、▲３▼ページタイトルが用意されているか、▲４▼ｂｌｉｎｋタグやｍａｒｑｕｅｅタグのように時間の経過に伴ってテキストが変化するタグが使用されているか、▲５▼ｓｃｒｉｐｔやマルチメディア・コンテンツなどに対する代替手段が提供されているか等である。
【００３０】
ウェブページ１５につきバリアフリー品質が合格基準に至らないときにはエラー項目についての報告が表示装置２５の画面において行われる（ステップＳ１４）ので、ウェブページ制作者はウェブページ１５のバリアフリーのエラー項目が解消されるようにウェブページ１５を修正する。エラー項目がすべて解消した時点で、ウェブページ１５のバリアフリー品質が合格基準を満足することになる。その時、上記評価値も同様に算出され、かつ表示装置２５の画面に提示される（ステップＳ１５）。バリアフリーの程度を表す評価値については任意の評価手法を用いることができる。例えばＨＴＭＬタグを読み取らせ、一定の計算ロジックで数値が作り出される。一定の計算ロジックとしては例えばＭＤ５という一般的に普及されたメッセージコードを作り出す手法が使用される。
【００３１】
バリアフリー認証印押印プログラム３２は、図４に示すごとく、診断処理Ｓ２１の結果ウェブページ１５についてそのバリアフリー品質が合格基準を満たすと判断されたときには（ステップＳ２２）、ウェブページ１５の適宜な箇所に認証印を付加（押印）する（ステップＳ２３）。認証印は、ウェブページ１５のＨＴＭＬ内の情報に基づいて求められた上記評価値に対応する特定コード（Ａ）を含むコメントをウェブページ１５内に埋め込むことにより押印される。認証印の具体例については図６に示す。なお判断ステップＳ２１でＮＯであるときには、ウェブページ１５のバリアフリー品質改善のための訂正を促すことになる（ステップＳ２４）。
【００３２】
図６は、バリアフリー認証印押印プログラム３２によって押印される認証印の例を示す。図６で、左側に示された４１は診断前（または修正前）のウェブページ１５のＨＴＭＬ文書を示し、右側に示された４２は診断後（または修正後）のウェブページ１５のＨＴＭＬ文書を示す。ウェブページ１５に対してバリアフリー診断プログラム３１を適用してバリアフリー診断を行い、合格基準を満たすと判断されると、ＨＴＭＬ文書４２内に、特定コードＡを含む認証印（コメント）４３が挿入される。特定コードＡは、バリアフリーの程度を表す前述した評価値に対応するコードである。
【００３３】
上記のごとくウェブページ１５は、そのバリアフリー品質が合格基準を満たしかつ認証印４３が押印された状態の下で、図１に示したように、ウェブサイト１３（ウェブサーバ１２）において公開される。ウェブページ１５に押印された認証印４３はそのＨＴＭＬ文書内に記入された状態で保持されている。またウェブページ１５に記入された認証印４３に係る内容は、記憶装置２６の認証印情報管理データベース２９においてウェブページ１５と関連づけて保管される。
【００３４】
バリアフリー認証印整合性確認プログラム３３は、ウェブサーバ１３で公開されている上記ウェブページ１５に対して定期的にまたは不定期的に実行される。バリアフリー認証印整合性確認プログラム３３が動作すると、図５に示すごとく、ウェブサーバ１３で公開されているウェブページ１５が再び記憶装置２６のウェブページ管理データベース２８に読み込まれる（ステップＳ３１）。その後、バリアフリー認証印整合性確認プログラム３３は、ＨＴＭＬ内の情報に基づいてバリアフリー品質の程度を表す評価値を計算し（ステップＳ３２）、これに対応する特定コード（Ｂ）を生成し（ステップＳ３３）、上記の認証印４３に含まれている上記特定コードＡと比較してそれらの一致・不一致を判断する（ステップＳ３４）。特定コードＡと特定コードＢが一致しているときには、ウェブページ１５を最終的に制作したときと同様にバリアフリー品質が保証されている。従って、ウェブサーバ１２でのウェブページ１５の公開を継続する（ステップＳ３５）。特定コードＡと特定コードＢが不一致であるときには、バリアフリー認証印押印プログラム３２によって認証印を押した後に何らかの修正がされていることを意味する。従って、実装の仕方によっては制作者や管理者への通知や、公開を停止することが可能である。図４では、ウェブサーバ１２でのウェブページ１５の公開を停止する例（ステップＳ３６）が示されている。
【００３５】
図７に、バリアフリー認証印整合性確認プログラム３３によってウェブページ１５において修正があったか否かを判定する仕組みのイメージを示す。図７で左側のＨＴＭＬ文書は図６で示したＨＴＭＬ文書４２に対応し、上記認証印４３を含んでいる。図７の右側のＨＴＭＬ文書５１は、公開されていたウェブページ１５についてバリアフリー認証印整合性確認プログラム３３を適用して再び認証印５２を押印したものである。認証印５２は他の特定コードＢを含んでいる。図３で、ＨＴＭＬ文書４２の認証印４３とＨＴＭＬ文書５１の認証印５２は一致していないので、公開後にウェブページ１５には修正が加えられていることが判明する。
【００３６】
バリアフリー品質保証装置２１のプログラム記憶部２３に用意された、上記のバリアフリー診断プログラム３１、バリアフリー認証印押印プログラム３２、バリアフリー認証印整合性確認プログラム３３により、本発明に係るウェブページのバリアフリー品質保証プログラムが構成される。このウェブページのバリアフリー品質保証プログラムによれば、ウェブサイト１３におけるウェブページ（コンテンツ）１５の公開時に、事前にＨＴＭＬ構文を解析してバリアフリー品質を診断し、合格基準を満たさせることを条件に認証印を押印し、バリアフリー品質が保証されていることを確認することができ、公開時に認定されたバリアフリー品質がその後の修正があった時においても維持されているか否かを判定でき、ウェブページ１５のバリアフリー品質の状態変化に即座に対処できる。
【００３７】
図８は、以上の処理の流れの技術的意味をイメージ化した図である。特定コードＡを含む認証印４３が押印された公開中のウェブページ１５に対して、バリアフリー認証印整合性確認プログラム３３を適用して、整合性確認コード６１を作成する（手順Ｐ１１）。整合性確認コード６１は、前述した特定コードＢを含む認証印５２のことである。次に整合性確認コード６１と認証印４３との比較を行う（手順Ｐ１２）。この比較において、整合性確認コード６１が認証印４３と一致しているときには、認証印４３が押されてからウェブページ１５の内容が修正されていないことを示す。不一致のときには、ウェブページ１５の内容が修正されていることを示す。一致の場合には、ウェブサーバ１２でのコンテンツ公開の継続が許可される。不一致の場合には、例えば、ウェブサーバ１２でのコンテンツ公開の継続が不許可となり、制作者または修正担当者に差し戻される。
【００３８】
【発明の効果】
以上の説明で明らかなように本発明によれば、バリアフリー認証印押印プログラム、バリアフリー認証印整合性確認プログラムを備えたバリアフリー品質保証装置あるいはバリアフリー品質保証プログラムを用意したため、インターネットで公開されるウェブページのバリアフリー品質を常に保証できる。特に、公開後にコンテンツ修正が行われた場合にもバリアフリー品質を迅速にチェックしてバリアフリー対応が低下したときには対処することができる。
【図面の簡単な説明】
【図１】本発明が適用されるインターネットでの情報発信のシステム状況の全体的構成を示す図である。
【図２】本発明に係るウェブページのバリアフリー品質保証装置の構成を示すブロック図である。
【図３】バリアフリー診断プログラムのフローチャートである。
【図４】バリアフリー認証印押印プログラムのフローチャートである。
【図５】バリアフリー認証印整合性確認プログラムのフローチャートである。
【図６】バリアフリー認証印押印プログラムによって押印される認証印の例を示す説明図である。
【図７】バリアフリー認証印整合性確認プログラムによってウェブページにおいて修正があったか否かを判定する仕組みを示す説明図である。
【図８】バリアフリー認証印整合性確認プログラムに基づく処理の流れの技術的意味をイメージ化した図である。
【符号の説明】
１１              インターネット
１２              ウェブサーバ
１３              ウェブサーバ
１５              ウェブページ（コンテンツ）
１６              端末装置
２１              バリアフリー品質保証装置
２２              ＣＰＵ
２３              プログラム記憶部
３１              バリアフリー診断プログラム
３２              バリアフリー認証印押印プログラム
３３              バリアフリー認証印整合性確認プログラム
【図１】
2004220254.tif 000003
【図２】
2004220254.tif 000004
【図３】
2004220254.tif 000005
【図４】
2004220254.tif 000006
【図５】
2004220254.tif 000007
【図６】
2004220254.tif 000008
【図７】
2004220254.tif 000009
【図８】
2004220254.tif 000010
【手続補正書】
【提出日】平成15年4月14日(2003.4.14)
【手続補正１】
【補正対象書類名】明細書
【補正対象項目名】００２８
【補正方法】変更
【補正の内容】
【００２８】
図３に示すごとく、ウェブページ１５を通信インターフェース２７等を介して読み込んで（ステップＳ１１）、記憶装置２６のウェブページ管理データベース２８に記憶させ（ステップＳ１２）、当該ウェブページ１５に対してバリアフリー診断プログラム３１の診断処理機能を実行することにより（ステップＳ１３）、ウェブページ１５のバリアフリー診断を行う。診断の結果のエラー項目の報告は表示装置２５の画面に表示されることにより行われ（ステップＳ１４）、評価値も同画面に表示されることになる（ステップＳ１５）。


【手続補正２】
【補正対象書類名】明細書
【補正対象項目名】００３４
【補正方法】変更
【補正の内容】
【００３４】
バリアフリー認証印整合性確認プログラム３３は、ウェブサーバ１３で公開されている上記ウェブページ１５に対して定期的にまたは不定期的に実行される。バリアフリー認証印整合性確認プログラム３３が動作すると、図５に示すごとく、ウェブサーバ１３で公開されているウェブページ１５が再び記憶装置２６のウェブページ管理データベース２８に読み込まれる（ステップＳ３１）。その後、バリアフリー認証印整合性確認プログラム３３は、ＨＴＭＬ内の情報に基づいてバリアフリー品質の程度を表す評価値を計算し（ステップＳ３２）、これに対応する特定コード（Ｂ）を生成し（ステップＳ３３）、上記の認証印４３に含まれている上記特定コードＡと比較してそれらの一致・不一致を判断する（ステップＳ３４）。特定コードＡと特定コードＢが一致しているときには、ウェブページ１５を最終的に制作したときと同様にバリアフリー品質が保証されている。従って、ウェブサーバ１２でのウェブページ１５の公開を継続する（ステップＳ３５）。特定コードＡと特定コードＢが不一致であるときには、バリアフリー認証印押印プログラム３２によって認証印を押した後に何らかの修正がされていることを意味する。従って、実装の仕方によっては制作者や管理者への通知や、公開を停止することが可能である。図４では、ウェブサーバ１２でのウェブページ１５の公開を停止する例（ステップＳ３６）が示されている。


【手続補正３】
【補正対象書類名】明細書
【補正対象項目名】００３５
【補正方法】変更
【補正の内容】
【００３５】
図７に、バリアフリー認証印整合性確認プログラム３３によってウェブページ１５において修正があったか否かを判定する仕組みのイメージを示す。図７で左側のＨＴＭＬ文書は図６で示したＨＴＭＬ文書４２に対応し、上記認証印４３を含んでいる。図７の右側のＨＴＭＬ文書５１は、公開されていたウェブページ１５についてバリアフリー認証印整合性確認プログラム３３を適用して再び認証印５２を押印したものである。認証印５２は他の特定コードＢを含んでいる。図５のステップＳ３４で示したごとく、ＨＴＭＬ文書４２の認証印４３とＨＴＭＬ文書５１の認証印５２は一致していないので、公開後にウェブページ１５には修正が加えられていることが判明する。